(57)【要約】      （修正有）【課題】使用耐久性を有するような折畳式のマットレスを提供する。【解決手段】幅と高さが一定となるように奥行き方向に列設した複数のマットブロック１０と、該マットブロック１０間を折畳み可能に連結する複数の折畳支点２０とで構成した折畳式変形マットレス１であって、前記マットブロック１０を、上面に配した上面カバー２と、下面に配した下面布側面カバー４と、前記上面カバー２と前記側面カバー４との間に介在するクッション材とで構成し、前記折畳支点２０を、複数の前記クッション材にわたって上面に配された前記上面カバー２と複数の前記クッション材にわたって下面に配された前記側面カバー４とを、隣接する前記クッション材の隣接面間で幅方向に縫合した仕切縫合部で構成し、該仕切縫合部間の前記上面カバー２と前記側面カバー４との間に形成される収納空間を、該収納空間に収納する前記クッション材よりひと回り大きく形成した。【選択図】図１
2006340991.tif 000002
【特許請求の範囲】
【請求項１】
幅と高さが一定となるように奥行き方向に列設した複数のマット部と、該マット部間を折畳み可能に連結する複数の連結部とで構成した折畳式変形マットレスであって、
前記マット部を、上面に配した上面布と、下面に配した下面布と、前記上面布と前記下面布との間に介在するマット体とで構成し、
前記連結部を、
複数の前記マット体にわたって上面に配された前記上面布と複数の前記マット体にわたって下面に配された前記下面布とを、隣接する前記マット体の隣接面間で幅方向に縫合した縫合部で構成し、
該縫合部間の前記上面布と前記下面布との間に形成される収納空間を、該収納空間に収納する前記マット体よりひと回り大きく形成した
折畳式変形マットレス。
【請求項２】
前記複数のマット部のうち隣接する少なくとも２個を、
列設させた際に隣接面となる前記各マット部の側面を奥行方向に傾斜させて互いに面対向させた
請求項１に記載の折畳式変形マットレス。
【請求項３】
隣接する前記マット部の前記傾斜させた隣接面の上辺又は下辺に前記縫合部を備え、
少なくとも１つの前記マット部の他方の縫合部を、前記縫合部に対して縦断面台形上の対角位置となる他方隣接面の対角辺に設けた
請求項２に記載の折畳式変形マットレス。
【請求項４】
前記隣接するマット部間の前記縫合部の両側に位置するそれぞれの上面または下面の奥行長さを略同一に形成した
請求項３に記載の折畳式変形マットレス。
【請求項５】
それぞれの傾斜する隣接面を対向させて配した２個の前記マット部を１組の傾斜マット組とし、同方向に傾斜する隣接面を有する複数の前記傾斜マット組を一方側から連続して列設した
請求項３または４に記載の折畳式変形マットレス。
【請求項６】
各マット部を、２組の傾斜マット組と、他方側から連続して列設した３個の縦断面長方形の直方体マット部とで構成した
請求項５に記載の折畳式変形マットレス。
【請求項７】
連続して列設した３個の縦断面長方形の直方体マット部を合わせた奥行長さと、前記２組の縦断面台形マット部を合わせた奥行長さとが略同一となるように形成した
請求項４、５または６に記載の折畳式変形マットレス。
【発明の詳細な説明】
【技術分野】
【０００１】
この発明は、例えばソファベッドとして使用できるような折畳式のマットレスに関する。
【背景技術】
【０００２】
従来から、複数のマット部材を折畳み可能に連結し、使用用途に合わせてマット部材を折畳んで使用形態をベッドからソファに変形させる折畳式のマットレスが提案されている（特許文献１参照）。
【０００３】
上記マットレスは、上段部、下段部、中間部および下部のブロックで構成され、それぞれを折畳み可能に連結している。
【０００４】
なお、それぞれのブロックは芯材と外皮とで構成し、折畳み可能に連結した際に隣合うブロックの隣接面となる側面の一方に幅方向の開口部ファスナーを設け、芯材の出し入れを行っている。
【０００５】
これにより、それぞれのブロックの外皮を連結してから芯材を挿着できるため、容易に折畳式のマットレスを構成することができるとされている。しかし、連結構造について記載されていない。通常は、ブロックの外皮同士を別部材で連結するが、このように別部材を用いた連結方法による折畳式のマットレスは強度に問題があった。  
また、上記折畳式のマットレスの場合、隣接面にファスナを設けているため、他方ブロックの隣接面の強度低下を起こしやすいという問題もあった。
【特許文献１】実公平７−４２３５２号公報
【発明の開示】
【発明が解決しようとする課題】
【０００６】
この発明は、使用耐久性を有するような折畳式のマットレスを提供することを目的とする。
【課題を解決するための手段】
【０００７】
この発明は、幅と高さが一定となるように奥行き方向に列設した複数のマット部と、該マット部間を折畳み可能に連結する複数の連結部とで構成した折畳式変形マットレスであって、前記マット部を、上面に配した上面布と、下面に配した下面布と、前記上面布と前記下面布との間に介在するマット体とで構成し、前記連結部を、複数の前記マット体にわたって上面に配された前記上面布と複数の前記マット体にわたって下面に配された前記下面布とを、隣接する前記マット体の隣接面間で幅方向に縫合した縫合部で構成し、該縫合部間の前記上面布と前記下面布との間に形成される収納空間を、該収納空間に収納する前記マット体よりひと回り大きく形成したことを特徴とする。
【０００８】
上記上面布および下面布は、二つ折りにした１枚の布体、又は別々の布体で構成したことを含む。また、別々の布体で構成した場合は、同一の布体、又は２種類以上の布体で構成することを含む。  
また、上記布体は、布状合成皮革、布状天然皮革、不織布、織布、および編布等で形成されていることを含む。  
上記マット体は、低反発ウレタンフォーム、ウレタンフォーム、クッション材、発泡材等の適宜の弾力性を有する部材で構成することを含む。
【０００９】
これにより、別体のマット部を別部材で連結する必要がなく、縫合箇所を低減することができるため、使用耐久性を向上する。これとともに、製造コストを低下させることができる。  
また、部品点数を低減することができるため、製造コストをさらに低下させることができる。  
さらに、連結するための別部材が不要なため、外表面をシンプルにでき、美的印象を向上させ、使用者の満足度を向上させることができる。
【００１０】
この発明の態様として、前記複数のマット部のうち隣接する少なくとも２個を、列設させた際に隣接面となる前記各マット部の側面を奥行方向に傾斜させて互いに面対向させることができる。  
上記台形縦断面を有する縦断面台形マット部は、断面台形の柱状のマット部であることを含む。
【００１１】
以上の構成により、折畳んでマット部を上下に積層させた際、その側面に斜面部分を形成できる。したがって、この斜面部分をまくらや足置きとして利用する等、使用者の使用用途を拡大することができる。
【００１２】
また、この発明の態様として、隣接する前記マット部の前記傾斜させた隣接面の上辺又は下辺に前記縫合部を備え、少なくとも１つの前記マット部の他方の縫合部を、前記縫合部に対して縦断面台形上の対角位置となる他方隣接面の対角辺に設けることができる。
【００１３】
上記対角位置とは、前記縫合部がある前記縦断面台形上の頂点に対して、前記縦断面台形上の対角点である位置を指す。  
上記対角辺とは、上述した対角位置が示す対角点を含み、前記縫合部がある隣接面に対して他方の隣接面上にある上辺又は下辺であることを含む。
【００１４】
上記構成により、Ｚ折り状に折畳んだ際に、上下に積層された連続する傾斜面を、所望する面に出現させることができる。したがって、斜面部分を例えば枕の一部として使用でき、使用者の使用用途をさらに拡大することができる。
【００１５】
また、この発明の態様として、前記隣接するマット部間の前記縫合部の両側に位置するそれぞれの上面または下面の奥行長さを略同一に形成することができる。  
これにより、マット部を折畳んで上下に積層させた際に、積層部側面に複数のマット部の厚み分の連続する傾斜面を形成することができる。したがって、使用者の使用用途をさらに拡大するとともに、使用者の満足度をさらに向上することができる。
【００１６】
また、この発明の態様として、それぞれの傾斜する隣接面を対向させて配した２個の前記マット部を１組の傾斜マット組とし、同方向に傾斜する隣接面を有する複数の前記傾斜マット組を一方側から連続して列設することができる。
【００１７】
これにより、マット部を折畳んで上下に積層させた際に、積層部側面に複数のマット部の厚み分の連続する傾斜面を形成することができる。したがって、例えば該傾斜面を背もたれ部分とするソファとして使用するなどの使用者の使用用途をさらに拡大するとともに、満足度をさらに向上することができる。
【００１８】
また、この発明の態様として、各マット部を、２組の傾斜マット組と、他方側から連続して列設した３個の縦断面長方形の直方体マット部とで構成することができる。  
上記縦断面長方形マット部は、直方体形状のマット部であることを含む。
【００１９】
上記構成により、折畳んだ２組の縦断面台形マット部を、例えば１組分あるいは２組分等の２段階の高さが設定可能な背もたれ部分として使用し、他方側から連続して列設した３個の縦断面長方形の直方体マット部を座面部、あるいは折畳んだ他方側の１個の縦断面長方形マット部を足上げ部として使用することが可能となる。
【００２０】
また、この発明の態様として、連続して列設した３個の縦断面長方形の直方体マット部を合わせた奥行長さと、前記２組の縦断面台形マット部を合わせた奥行長さとが略同一となるように形成することができる。  
これにより、二つ折り状態で使用、または収納することができ、使用者の満足度をさらに向上することができる。
【発明の効果】
【００２１】
この発明によれば、使用耐久性を有するような折畳式のマットレスを提供することができる。
【発明を実施するための最良の形態】
【００２２】
この発明の一実施形態を以下図面と共に説明する。  
折畳式変形マットレス１の斜視図を示す図１と、構成説明図を示す図２、拡大縦断面図を示す図３と、中央幅方向縦断面図を示す図４とともに、折畳式変形マットレス１について説明する。  
なお、図２（ｂ）は折畳式変形マットレス１の縦断図による構成説明図を示し、図３（ａ）は隣接部分の拡大詳細図を示す。
【００２３】
折畳式変形マットレス１はいわゆるシングルサイズよりひと回り小さな平面視長方形形状で、適宜の厚みを有しており、幅および高さが一定で、縦断面形状がそれぞれ異なるマットブロック１０（１１〜１７）を奥行き方向に列設して、折畳み可能に一体に形成している。なお、以降の説明では図１中の折畳式変形マットレス１の奥行方向手前側（図１の左下）を頭部側、奥行方向奥側（図１の右上）を足部側とする。
【００２４】
図２に示すように、傾斜マットブロック１１、１２、１３および１４は縦断面形状が台形となる四角錘台で形成し、直方体マットブロック１５、１６および１７は直方体で形成するとともに、それぞれの奥行長さが異なるように形成している。
【００２５】
詳述すると、図２（ａ）に示すように、傾斜マットブロック１１および１３は、上面１１ａ、１３ａの奥行長さＬＵ１１、ＬＵ１３より下面１１ｃ、１３ｃの奥行長さＬＢ１１、ＬＢ１３が長く、鉛直側面１１ｂ、１３ｂと、傾斜側面１１ｄ、１３ｄとを有する縦断面台形形状である。
【００２６】
また、傾斜マットブロック１２および１４は、上面１２ａ、１４ａの奥行長さＬＵ１２、ＬＵ１４より下面１２ｃ、１４ｃの奥行長さＬＢ１２、ＬＢ１４が短く、鉛直側面１２ｂ、１４ｂと、傾斜側面１２ｄ、１４ｄとを有する縦断台形形状である。  
また、それぞれ傾斜側面１１ｄ、１２ｄ、１３ｄ、１４ｄは、床面と４５度の傾斜角度を有している。
【００２７】
なお、ＬＢ１１とＬＢ１２、ＬＵ１２とＬＵ１３、ＬＢ１３とＬＢ１４とはそれぞれの長さが等しくなるように形成している。このようにして、連結部を挟んで隣接する上面同士、あるいは下面同士の奥行き長さが等しくなるようにしている。
【００２８】
また、直方体マットブロック１５の奥行長さＬ１５は、上述したＬＵ１４と等しく形成している。また、直方体マットブロック１６の奥行長さＬ１６は奥行長さＬ１５より２割程長く形成し、直方体マットブロック１７の奥行長さＬ１７は奥行長さＬ１５より半分程度の長さに形成している。
【００２９】
なお、本実施形態においては、ＬＵ１１を折畳式変形マットレス１の奥行長さの１割程度の形成し、ＬＢ１１およびＬＢ１２をＬＵ１１に折畳式変形マットレス１の厚み分の長さを加えた奥行長さで形成している。以下同様にして、ＬＵ１２およびＬＵ１３はＬＢ１２に折畳式変形マットレス１の厚み分の長さを加えた奥行長さ、ＬＢ１３およびＬＢ１４はＬＵ１３に折畳式変形マットレス１の厚み分の長さを加えた奥行長さ、ＬＵ１４およびＬ１５はＬＢ１４に折畳式変形マットレス１の厚み分の長さを加えた奥行長さで形成している。
【００３０】
折畳式変形マットレス１は、傾斜側面１１ｄと傾斜側面１２ｄ、鉛直側面１２ｂと鉛直側面１３ｂ、傾斜側面１３ｄと傾斜側面１４ｄ、鉛直側面１４ｂと頭部側の鉛直側面１５ｂ、足部側の鉛直側面１５ｂと頭部側の鉛直側面１６ｂ、ならびに足部側の鉛直側面１６ｂと頭部側の鉛直側面１７ｂとを対向させて列設し、それぞれの対向面（隣接面）の上辺又は下辺のいずれかに折畳支点２０（２１〜２６）を設けて構成している。
【００３１】
詳しくは、下辺折畳支点２１、２３はそれぞれの隣接面の下辺に、上辺折畳支点２２、２４、２５、２６はそれぞれの隣接面の上辺に設けている。  
上記構成により、マットブロック１０を折畳支点２０中心に折畳むことによって折畳式変形マットレス１を後述する複数パターンの使用形態に変形することができる。
【００３２】
次に、マットブロック１０について説明すると、マットブロック１０は内部に収納されるクッション材５と、少なくともクッション材５の上面を覆う上面カバー２、クッション材５の左右側面を覆う側面カバー３、少なくともクッション材５の下面を覆う下面カバー４で構成している。
【００３３】
また、奥行き方向に列設されたマットブロック１０のそれぞれの上面カバー２および下面カバー４は、頭部側（図２左側）から足部側（図２右側）まで連続するそれぞれ１枚の上面カバー２および下面カバー４で構成している。
【００３４】
詳述すると、図２（ｂ）に示すように、上面カバー２は、上面１１ａの頭部側から、上面１１ａ、傾斜側面１１ｄ、傾斜側面１２ｄ、上面１２ａ、上面１３ａ、傾斜側面１３ｄ、傾斜側面１４ｄ、上面１４ａ、上面１５ａ、上面１６ａならびに上面１７ａを経て、足部側の鉛直側面１７ｂ下辺までを覆う。
【００３５】
また、下面カバー４は鉛直側面１１ｂの上辺から、下面１１ｃ、下面１２ｃ、鉛直側面１２ｂ、鉛直側面１３ｂ、下面１３ｃ、下面１４ｃ、鉛直側面１４ｂ、頭部側の鉛直側面１５ｂ、下面１５ｃ、足部側の鉛直側面１５ｂ、頭部側の鉛直側面１６ｂ、下面１６ｃ、足部側の鉛直側面１６ｂ、頭部側の鉛直側面１７ｂを経て、下面１７ｃ足部側までを覆う。
【００３６】
なお、上面カバー２および下面カバー４は、それぞれの端部付近同士を、折畳式変形マットレス１の頭部側端面上辺付近および足部側端面下辺付近で、それぞれ重合して幅方向に縫合して端部縫合部３１を構成している。
【００３７】
また、図３（ａ）に示すように、例えば上面カバー２を折り曲げて形成する傾斜側面１３ｄと傾斜側面１４ｄとの間の折返し辺３３と、該隣接面をまたぐ下面カバー４とを、ナイロン糸のような所望の強度を有する糸部材で幅方向に縫合して仕切縫合部３２を形成している。  
なお、上述した折畳支点２０を、仕切縫合部３２とで構成している。
【００３８】
図４に示すように、マットブロック１０は、対応するクッション材５の縦断面形状と略同一形状を有する左右の側面カバー３の周縁部と、上述した上面カバー２と下面カバー４とを縫合して内部に収納空間６を形成している。
【００３９】
なお収納空間６の奥行き方向の仕切りは、傾斜側面１３ｄ、傾斜側面１４ｄ等（図３）によって形成されている。これにより、収納するクッション材５の外形よりわずかに大きな収納空間６を形成することができる。なお、図４は、マットブロック１０の構成の理解を容易にするため、クッション材５を小さく表している。
【００４０】
また、右側の側面カバー３ａは、高さ方向に略半分程度の２枚に分割して構成し、その間となる中央部分に奥行き方向のファスナ３ｂを設けて、収納空間６へのクッション材５の出し入れを可能にしている。
【００４１】
以上に説明したように、一枚の上面カバー２又は下面カバー４で全てのマットブロック１０の上面１０ａ（１１ａ〜１７ａ）および下面１０ｃ（１１ｃ〜１７ｃ）を構成することによって、折畳支点２０をクッション材５を個別で被覆して構成し、それぞれを連結した場合や、別部材によって折畳支点２０を構成した場合と比べ、縫合箇所を低減することができるため、折畳式変形マットレス１の使用耐久性を向上させることができる。また、縫合作業にかかる時間やコストを低減することができる。
【００４２】
また、折畳支点２０を別部材で構成する場合と比較して構成部品数を低減することができるため、折畳式変形マットレス１の生産コストを低減することができるとともに、折畳式変形マットレス１の外観をシンプルに形成できるため、使用者の満足度を向上させることができる。
【００４３】
続いて、折畳式変形マットレス１の使用形態等を説明する図５と、各使用形態における折畳式変形マットレス１の斜視図を示す図１および図６〜１２とともに、折畳式変形マットレス１の使用形態ならびに使用方法について説明する。
【００４４】
まず、図５ａと図１とに示す折畳式変形マットレス１の使用形態ａについて説明する。使用形態ａは、折畳式変形マットレス１を全て展開し、フラット状のマットレスとして使用する。この使用形態は、もっとも基本的な使用方法であり、通常のマットレスと同様に屋内での寝具として使用する。また、上述したように、使用形態ａの折畳式変形マットレス１をシングルサイズよりひと回り小さな平面視長方形に形成しているため、いわゆるミニバンと呼ばれる１ＢＯＸタイプ乗用車の車内座席をフラットにした際に、寝具として使用することもできる。
【００４５】
次に、図５ｂと図６とに示す折畳式変形マットレス１の使用形態ｂについて説明する。使用形態ｂは、下辺折畳支点２１（図１）と上辺折畳支点２２（図１）とを支点として、使用形態ａから傾斜マットブロック１１と傾斜マットブロック１２とをＺ状に折畳んで変形させる。  
これにより、傾斜側面１１ｄと傾斜側面１２ｄとによって使用面側に連続した２段分の傾斜部１ａを形成する。
【００４６】
使用者は、傾斜マットブロック１４〜直方体マットブロック１７で構成するフラット部分１ｃに寝転がり、この重合する傾斜マットブロック１１に例えば頭を載せて枕として使用することができる。このとき、傾斜部１ａが適度に首部分を支持するため使用者は楽な寝転がり姿勢をとることができる。
【００４７】
また、フラット部分１ｃに寝転がり、傾斜マットブロック１１に頭の代わりに足を乗せてもよい。これにより、適度に足を高く上げることで、足の疲れを癒すことができる。なお、この場合も、傾斜部１ａが足首部分やふくらはぎ部分を適度に支持するため使用者は楽な足上げ姿勢をとることができる。
【００４８】
次に、図５ｃと図７に示す折畳式変形マットレス１の使用形態ｃについて説明する。使用形態ｃは、使用形態ａ（図５ａ）から、上辺折畳支点２６（図１）を支点として直方体マットブロック１７を頭部側に折畳んで変形させる。これにより、足部側に一段高い足上げ部１ｄを形成することができる。
【００４９】
使用者は、傾斜マットブロック１１〜直方体マットブロック１６からなるフラット部分１ｃに寝転がり、足上げ部１ｄに例えば足を載せて使用することができ、足上げ部１ｄに足を上げることで、足の疲れを癒すことができる。  
また、この形態では、足上げ部１ｄを枕として使用することができる。このとき、高さの低い枕を好む使用者は、楽な寝転がり姿勢をとることができる。
【００５０】
次に、図５ｄと図８に示す折畳式変形マットレス１の使用形態ｄについて説明する。使用形態ｄは、使用形態ｂ（図５ｂ）から、下辺折畳支点２３（図６）と上辺折畳支点２４（図６）を支点として、重合した傾斜マットブロック１１、傾斜マットブロック１２および傾斜マットブロック１３と傾斜マットブロック１４とを、Ｚ上に折畳んで変形させる。これにより、使用面側に傾斜側面１１ｄから傾斜側面１４ｄとによって連続した４段分の傾斜面１ｂを形成する。  
使用者は、直方体マットブロック１６、１７で構成するフラット部分１ｃに着座し、上述した４段分の傾斜面１ｂにもたれることによって楽な着座姿勢を形成することができる。
【００５１】
次に、図５ｅと図９に示す折畳式変形マットレス１の使用形態ｅについて説明する。使用形態ｅは、使用形態ｂ（図５ｂ）から、上辺折畳支点２６（図６）を支点として直方体マットブロック１７を頭部側に折畳んで変形させる、あるいは、一旦、使用形態ｃ（図５ｃ）から、下辺折畳支点２１（図７）と上辺折畳支点２２（図７）とを支点として傾斜マットブロック１１と傾斜マットブロック１２とをＺ状に折畳んで変形させる。  
これにより、傾斜側面１１ｄと傾斜側面１２ｄとによって使用面側に連続した２段分の傾斜部１ａを形成するとともに、足部側に一段高い足上げ部１ｄを形成することができる。
【００５２】
使用者は、傾斜マットブロック１４〜直方体マットブロック１６からなるのフラット部分１ｃに寝転がり、この重合する傾斜マットブロック１１に頭を載せて枕として使用するとともに、足上げ部１ｄ部分に足を載せて使用することができる。このとき、傾斜部１ａが適度に首部分を支持するため使用者は楽な寝転がり姿勢をとることができる。また、足上げ部１ｄに足を上げることで、足の疲れを癒すことができる。
【００５３】
次に、図５ｆと図１０に示す折畳式変形マットレス１の使用形態ｆについて説明する。使用形態ｆは、使用形態ｄ（図５ｄ）から、上辺折畳支点２６（図８）を支点として直方体マットブロック１７を頭部側に折畳んで変形させるか、あるいは使用形態ｅ（図５ｅ）から、下辺折畳支点２３（図９）と上辺折畳支点２４（図９）とを支点として重合した傾斜マットブロック１１、傾斜マットブロック１２および傾斜マットブロック１３と、傾斜マットブロック１４とをＺ状に折畳んで変形させる。
【００５４】
これにより、使用面側に傾斜側面１１ｄから傾斜側面１４ｄとによって連続した４段分の傾斜部１ｂを形成するとともに、足部側に一段高い足上げ部１ｄを形成することができる。  
使用者は、直方体マットブロック１６のフラット部分１ｃに着座し、上述した傾斜部１ｂにもたれ、足上げ部１ｄに足を載せて使用することができる。したがって、楽な着座姿勢をとるとともに、足の疲れを癒すことができる。
【００５５】
次に、図５ｇと図１１に示す折畳式変形マットレス１の収納形態ｇについて説明する。収納形態ｇは、使用形態ｆ（図５ｆ）から、上辺折畳支点２５（図６）を支点として直方体マットブロック１６および直方体マットブロック１７を頭部側に折畳んで変形させる。  
これにより、傾斜側面１１ｄから傾斜側面１４ｄとによる傾斜部１ｂを覆う様態でコンパクトに折畳むことができる。
【００５６】
次に、図５ｈと図１２に示す折畳式変形マットレス１の収納形態ｈについて説明する。収納形態ｈは、使用形態ａ（図５ａ）から、上辺折畳支点２４（図１）を支点として直方体マットブロック１５、直方体マットブロック１６および直方体マットブロック１７を頭部側に折畳んで変形させる。  
これにより、二つ折り状態でコンパクトに折畳むことができる。
【００５７】
次に、図５ｉと図１３に示す折畳式変形マットレス１の収納形態ｉについて説明する。  
収納形態ｉは、使用形態ａ（図５ａ）から、上辺折畳支点２５（図１）を支点として傾斜マットブロック１１〜直方体マットブロック１５までを足部側に一旦折畳み、続いて下辺折畳支点２３（図１）を支点として、傾斜マットブロック１１、傾斜マットブロック１２および傾斜マットブロック１３を頭部側に折畳んで変形させる。
【００５８】
これにより、Ｚ折り状態でコンパクトに折畳むことができる。  
使用者は、平面寸法の小さな上記収納状態１、２および３で折畳式変形マットレス１を収納することができる。
【００５９】
また、図１３に示すように、長さを調製し、所望の長さで環状を固定できる幅広の布製バンド４０で収納状態を固定することができる。  
これにより、上述した１ＢＯＸタイプ乗用車で折畳式変形マットレス１を収納する場合であっても、収納状態１、２および３を保持できるため、使用者の満足度を向上することができる。
【００６０】
この発明の構成と、上述の実施形態との対応において、
この発明のマット部は、マットブロック１０に対応し、
以下同様に、
連結部は、折畳支点２０、下辺折畳支点２１、２３、および上辺折畳支点２２、２４、２５、２６に対応し、
折畳式変形マットレスは、折畳式変形マットレス１に対応し、
上面布は、上面カバー２に対応し、
下面布は、下面カバー４に対応し、
マット体は、クッション材５に対応し、
縫合部は、仕切縫合部３２に対応し、
傾斜マット組は、傾斜マットブロック１１と傾斜マットブロック１２の組、および傾斜マットブロック１３と傾斜マットブロック１４の組に対応し、
傾斜する隣接面は、傾斜側面１１ｄ、傾斜側面１２ｄ、傾斜側面１３ｄおよび傾斜側面１４ｄに対応し、
直方体マット部は、直方体マットブロック１５、直方体マットブロック１６および直方体マットブロック１７に対応するも、
この発明は、上述の実施形態の構成のみに限定されるものではなく、多くの実施の形態を得ることができる。
【図面の簡単な説明】
【００６１】
【図１】使用形態ａの折畳式変形マットレスの斜視図。
【図２】折畳式変形マットレスの構成説明図。
【図３】折畳式変形マットレスの拡大縦断面図。
【図４】折畳式変形マットレスの中央幅方向縦断面図。
【図５】折畳式変形マットレスの使用形態等の説明図。
【図６】使用形態ｂの折畳式変形マットレスの斜視図。
【図７】使用形態ｃの折畳式変形マットレスの斜視図。
【図８】使用形態ｄの折畳式変形マットレスの斜視図。
【図９】使用形態ｅの折畳式変形マットレスの斜視図。
【図１０】使用形態ｆの折畳式変形マットレスの斜視図。
【図１１】収納形態ｇの折畳式変形マットレスの斜視図。
【図１２】収納形態ｈの折畳式変形マットレスの斜視図。
【図１３】収納形態ｉの折畳式変形マットレスの斜視図。
【符号の説明】
【００６２】
１…折畳式変形マットレス
２…上面カバー
４…下面カバー
５…クッション材
６…収納空間
１０…マットブロック
１１、１２、１３、１４…傾斜マットブロック
１５、１６、１７…直方体マットブロック
１１ａ、１２ａ、１３ａ、１４ａ…上面
１１ｃ、１２ｃ、１３ｃ、１４ｃ…下面
１１ｄ、１２ｄ、１３ｄ、１４ｄ…傾斜側面
２０…折畳支点
２１、２３…下辺折畳支点
２２、２４、２５、２６…上辺折畳支点
３２…仕切縫合部
【図１】
2006340991.tif 000003
【図２】
2006340991.tif 000004
【図３】
2006340991.tif 000005
【図４】
2006340991.tif 000006
【図５】
2006340991.tif 000007
【図６】
2006340991.tif 000008
【図７】
2006340991.tif 000009
【図８】
2006340991.tif 000010
【図９】
2006340991.tif 000011
【図１０】
2006340991.tif 000012
【図１１】
2006340991.tif 000013
【図１２】
2006340991.tif 000014
【図１３】
2006340991.tif 000015